(57)【要約】ベッド装置（１０）は関節式マットレス支持体（３０）と、関節式マットレス支持体用の支持フレーム（４０）と、関節式マットレス支持体の可撓性部分（３０ｂ，３０ｃ，３０ｄ）を昇降させるための動力組立体（５０）とを有している。前記支持フレーム（４０）は固定された外側フレーム（２０）に調整可能に装着され、前記の関節式マットレス支持体（３０）よりもサイズが小さい。前記動力組立体（５０）は支持フレーム（４０）に装着されている。
2006528527.tif 000002
【特許請求の範囲】
【請求項１】
関節式マットレス支持体（３０）と、関節式マットレス支持体用の支持フレーム（４０）と、関節式マットレス支持体（３０）の可撓性部分（３０ｂ，３０ｃ，３０ｄ）を昇降させる動力組立体（５０）とを含むベッド装置において、前記支持フレーム（４０）が固定された外側フレーム（２０）に調整可能に装着されており、前記支持フレーム（４０）が前記マットレス支持体（３０）よりも寸法が小さく、前記動力組立体（５０）が前記支持フレーム（４０）に装着されていることを特徴とするベッド装置。
【請求項２】
前記支持フレーム（４０）が、前記外側フレーム（２０）の幅に対して調整可能である少なくとも１個の手段（６０）によって前記の固定された外側フレーム（２０）に装着されていることを特徴とする請求項１に記載のベッド装置。
【請求項３】
前記の関節式マットレス支持体（３０）が前記外側フレーム（２０）の内側に位置され、その外周縁（３１）が、前記外側フレーム（２０）の内側から好ましくは少なくとも２５ミリメートル、より好ましくは少なくとも３０ミリメートルで人の指の厚みより大きい距離をおいて位置されていることを特徴とする請求項１または２に記載のベッド装置。
【請求項４】
前記支持フレーム（４０）が前記動力組立体（５０）と共に前記外側フレーム（２０）の内側に装着されており、前記外側フレームの内側から好ましくは少なくとも１００ミリメートル、より好ましくは少なくとも１５０ミリメートルで人の手の長さよりも大きな距離をおいて配置されていて、マットレス支持体（３０）と係合し、それを昇降させる運動部分（５４，５５）を有することを特徴とする請求項１、２、および３のいずれか１項に記載のベッド装置。
【請求項５】
前記支持フレーム（４０）の双方の端部（４１，４２）が、外側フレーム（２０）の幅に対して調整可能である手段（６０）を介して前記外側フレーム（２０）に取り付けられていることを特徴とする請求項１から４までのいずれか１項に記載のベッド装置。
【請求項６】
前記支持フレーム（４０）の一端（４１）が前記外側フレーム（２０）の一端に取り付けられており、前記支持フレームの他端（４２）が、前記外側フレーム（２０）の幅に対して調整可能である手段（６０）を介して前記外側フレーム（２０）の他端からある距離をおいて前記外側フレーム（２０）の側部に対して取り付けられていることを特徴とする請求項１から４までのいずれか１項に記載のベッド装置。
【請求項７】
前記支持フレーム（４０）が、固定されたベッドプレート（４０ｂ）と、該ベッドプレートに対して相対的に長手方向に移動可能である可動のベッドプレート（４０ａ）とを有し、関節式マットレス支持体（３０）を昇降させるための前記動力組立体（５０）と、駆動アーム（５５）と、それらの属するリンク（７０）とが前記可動のベッドプレート（４０ａ）に装着されていることを特徴とする請求項１から６までのいずれか１項に記載のベッド装置。
【請求項８】
一端が前記外側フレーム（２０）に枢着され、他端が駆動アーム（５５）の端部の間の位置において前記駆動アーム（５５）に枢着されている枢動可能なリンクアーム（９０）によって、前記マットレス支持体（３０）の頭側支持部分（３０ｂ）を昇降させるために前記ベッド装置（１０）の頭側端に設けられた少なくとも１個の駆動アーム（５５）が前記外側フレーム（２０）に接続されていることを特徴とする請求項７に記載のベッド装置。
【発明の詳細な説明】
【技術分野】
【０００１】
本発明は関節式マットレス支持体、関節式マットレス支持体用の支持フレーム、および前記関節式マットレス支持体の可撓性部分を昇降させる動力組立体とを含むベッド装置に関するものである。
【背景技術】
【０００２】
調節可能な、あるいは関節式のベッドマットレス、フレームおよび（または）ベッド台を使用したベッド、特に病院、老人ホーム、および老人のいる家庭でのベッドは長期に亘り知られている。
【０００３】
最近、住宅市場において、そのようなベッド、特に電動駆動の動力モジュール装置を使用した電動フレームによって自動的に調整されたり／傾斜されたりしうるベッドに対する商業的な必要性が増大してきた。このような関節式ベッドは外側フレームと、電動フレームによって折り畳み、すなわち枢動可能な部分を有する、マットレスを支持する内側フレームとを含むことが多い。
【０００４】
従来技術による電動フレームは、基本的には同じ機能を有するが、構造が異なる二種類の方法によって構成されている。第一のタイプのフレームは固定された外側フレームに固定され、そのためベッドを所望する位置まで傾ける、例えば頭部分および（または）脚部分を持ち上げる場合、頭部側端部、あるいは頭部側部分がベッド、あるいは何らかのベッド台すなわちベッドスタンドの短い方の端部から離れる方向に動くことによってベッドの使用者に対してより届きにくくし、ベッドを下げる場合その逆となる。第二のタイプのフレームも固定された外側フレームに接続されるが運動可能な方法で接続されるので、ベッドが持ち上げられた場合、この第二のタイプの可動フレームは外側フレーム対して相対的に移動し、持ち上げ方向とは基本的に反対の方向に摺動、あるいは転ぶことによって、関連するベッド部分の間の、例えばベッドの頭側端と外側の固定されたフレームとの間の増大した距離を補正することによって持ち上げられたマットレスとベッドの隣接する固定した短い方の端との間の距離が基本的に一定に保たれるようにする。
【０００５】
米国特許第５，０６３，６２３号は関節式ベッド用動力モジュールであって、標準的なベッドのフレームに簡単に適合するようにされている動力モジュールを記載している。マットレス支持体の固定された中間部分に専ら固定されるハウジングを有しており、前記の固定された中間部分は動力モジュールによって駆動されるロッカ（揺動）アームとシャフトとによって所望するベッド位置へ上下に旋回する平坦なマットレス支持パネルにヒンジ接続されている。
【０００６】
米国特許第５，０６３，６２３号における動力モジュールは、使用現場においてベッドの下でマットレス支持体から簡単に取り外すとか、あるいはそれに取り付けることができないので、ベッドの適用性に限度がある。さらに、上から動力モジュールを扱うことができるようにマットレス支持体を別々に取り外す可能性も排除されている。このマットレス支持体と動力モジュールとの組み合わせは極めて重く、かつ扱いにくくなり、従ってそれを外側の固定されたフレームに組み立てたり／装着したりする場合は厄介である。
【０００７】
前述した第二の摺動タイプのフレームを備えたベッドのフレーム装置が国際特許第０１／９３７２５Ａ１号に記載されている。ここでは、可動の内側フレームが、固定された案内レールの内部で摺動する細長い摺動ブロックを介して固定の外側フレームに対して相対的に移動する。摺動ブロックは外側フレームの内側に、案内レールは内側フレームの外側に、あるいはそれらの逆に取り付けられている。
【０００８】
国際特許第０１／９３７２５Ａ１号に開示されている既知のベッドフレーム装置は摺動ブロックおよび案内レールがベッドの外縁部に対して近傍に／近接して位置されるという欠点を有しており、それは摺動ブロックと案内レールとの間で手および（または）指を詰めるとか、あるいは押しつぶす危険性が、特に手や指の小さい子供に対して顕著であることを意味する。
【発明の開示】
【発明が解決しようとする課題】
【０００９】
本発明の主要な目的は、従来技術よりも改良されており、ベッドを所望する位置に調整するときにベッドの運動部分の間に挟まれるか、押し込まれた手や指が詰めるとか、および（または）押しつぶされる危険性を低減する新規なベッド装置であって、関節式ベッドの製造および組立てをし易く、かつ簡単にし、関節式ベッドのより簡単で、より迅速で、より経済的で、より安全で、かつより安定した使用を達成するために調整可能なフレームを使用することによって色々な幅を有するベッドに対する電動フレームの適用性を増大する新規なベッド装置を提供することである。
【課題を解決するための手段】
【００１０】
これらの目的は特許請求の範囲の請求項１に記載の特徴を有し、好適実施例が関連する従属項に記載されているベッド装置によって達成される。
【００１１】
本発明による改良されたベッド装置によって数々の利点が得られる。調整可能に装着された支持フレームは動力組立体と共に色々な幅のベッドにおいて使用することができる。動力組立体、支持フレームおよびマットレス支持体が相互に関連して個別に組立てしたり、かつ分解することが可能で、例えばマットレス支持体を支持フレームから個別に取り外すことが可能であるので動力組立体の保守が簡素化されるため、ベッド装置のより簡単な製造、組立て、および保守が達成される。マットレス支持体と支持フレームとの間にサイズの差があることによってベッド装置を調整している間の人の手や指を詰めたり、あるいは押しつぶす危険性を排除する。
【００１２】
本発明の好適実施例による電動フレームを関節式ベッドに具備させることによって、以下の利点が得られる。マットレス支持体と固定された外側フレームとの間にサイズの差があることによってベッドを調整している間の人の手あるいは指を詰めたり／押しつぶす危険性を排除する。更に、ベッドの調整可能性および構造も、動力組立体の運動部分が外側フレームの内側から十分大きな距離をおいて位置されるので、怪我の危険性を最小にすることによってベッドを調整している間の安全性を高める。
【００１３】
添付図面を参照して本発明を以下詳細に説明する。
【発明を実施するための最良の形態】
【００１４】
図１と図２とは本発明による関節式ベッド装置すなわちベッド１０の第一の実施例を示し、図３と図４とは本発明によるベッドの第二の実施例を示す。
【実施例１】
【００１５】
図１と図３とに示されているように、本発明による関節式ベッド１０は概ね四角の固定された外側フレーム２０と、前記外側フレーム２０の内側に適合するように該フレームより小さい寸法を有し、概ね四角の平坦な関節式マットレス支持体３０とを含む。図１と図３とにおいては、本発明によるベッドはマットレスを取り外して示されている。図１と図３とにおいては、判りやすくするために平坦なマットレス支持体が部分的に透かして示され、かつ断面を示す射線に似た線で示されている。
【００１６】
図１から図４までに示す関節式マットレス支持体３０のサイズは、双方の実施例において、ベッド１０に装着された場合、その外周縁３１が固定の外側フレーム２０に対して該外側フレーム２０の内側で少なくとも２５ミリメートル、あるいはより好ましくは少なくとも３０ミリメートル、好ましくは５０−３００ミリメートルの間、最も好ましくは６０−２００ミリメートルの間の距離をおいて対面するようにして前記固定の外側フレーム２０の内側に適合するようにされている。前記マットレス支持体３０の外縁部３１と外側フレーム２０との間の距離は、ベッドを所望する位置まで傾けるとき、指を詰めたり、押しつぶす危険性を低減するために人間の指の厚みより大きいことが好ましい。
【００１７】
図２と図４とに示すマットレスは、上から見てマットレスの全ての側における外側フレーム２０とマットレス支持体３０との間の空隙の上を延在し、それを覆っている厚いベッドのかわを有しており、それによって人を傷つける危険性をさらに低減している。
【００１８】
関節式マットレス支持体３０は３個の主要な部分、すなわち（図２と図４とに示す）マットレスを備え、透いて示すマットレス支持体３０と、マットレス支持体を支持／担持するための調整可能なフレーム４０と、電動の、すなわちベッド１０を自動的に調整するための動力組立体５０とからなるユニットの一部を形成している。動力組立体５０は前記支持フレーム４０に取り付け／装着され、ベッド１０を昇降するために使用される。マットレス支持体３０は、当該技術分野の専門家には直ちに理解され、かつ図１および図３に示されているように、相互にヒンジ接続された４個の部分、すなわち固定された中間部分３０ａ，旋回可能な頭側部分３０ｂ，旋回可能な大腿側部分３０ｃ，および旋回可能な脚側部分３０ｄとに分割されるように関節式に接続されている。
【００１９】
調整可能な支持フレーム４０は図１から図４において一端４１がベッド１０の脚側端近傍で左方に、一端４２がベッドの頭側端近傍で右側に位置している。動力組立体５０は２個の駆動装置すなわちロータシャフト５４と４個の駆動装置すなわちロータアーム５５とを有しており、各ロータシャフト５４は２個のロータアーム５４を固定しており、すなわち支持フレーム４０の近傍で関連するロータシャフト５４の各端に１個のアーム５５を有している。ロータシャフト５４は、一方のロータシャフト５４をその端部４１の近傍に、他方のロータシャフト５４をその端部４２の近傍に位置させて支持フレーム４０に回転可能に取り付けられている。ロータシャフト５４は駆動モータ（図示せず）によって駆動される。
【００２０】
図１と図２とに示す第一の実施例における支持フレーム４０は、ベッド１０の長手方向に延在している２個の細長くて平行のビーム４４を有しており、より長い方のビーム４４の端部に対して取り付けられ、かつそれに対して垂直方向に延在する２個のより短い方のビーム４５によって結合保持されている。短い方のビーム４５は内部の貫通孔を備えた中空のものであって、前記の短い方のビーム４５の各々は支持フレーム４０の各端４１および４２において前記の短い方のビーム４５を貫通して突出する２個の伸長可能装置６０を含む。前記の短い方のビーム４５は内側の摺動可能な要素を囲繞するスリーブと似ている。支持フレーム４０を形成するビーム４４，４５は中空の四角断面を有している。
【００２１】
支持フレーム４０はその平坦な状態あるいは位置におけるマットレス支持体３０と比較してより小さいサイズすなわち寸法を有している。マットレス支持体３０はその固定された中間部分３０ａを調整可能な支持フレーム４０の中間部分４３に位置させて取り外し可能に取り付けられている。
【００２２】
双方の実施例に対して共通の枢動リンク装置７０が図１から図４までの左側に示されている。ベッド１０の脚側端部の近傍にあるこの左側の枢動リンク装置７０は各端において支持フレーム４０に回転可能に接続されたシャフトと、２個のフラットバーとを含み、該フラットバーは一端においてマットレス支持体３０の下側に枢動可能に接続され、他端において回転可能なシャフトに枢動可能に接続されている。この枢動可能な脚側端部リンク装置７０は、マットレス支持体３０を調整、および（または）傾けるときベッド１０の脚側端部３０ｃ，３０ｄの運動に受動的に追従し、マットレスを下側から支持し、脚側端部にある部分は基本的に水平方向に保持され、ベッドの使用者にとって快適な足や脚の姿勢すなわち位置を創出する。
【００２３】
ベッド１０の支持と姿勢とは、例えばリンク装置７０におけるフラットバーの代わりに四角、円形、Ｌ形、Ｔ形、あるいはＨ形、あるいは三角形でさえでもよい断面形状、あるいは支持フレーム４０のビーム４４，４５と類似の中空の四角形状を有するビームを使用することによっても達成しうることは勿論である。
【００２４】
図１および図２に示す本発明の第一の実施例による支持フレーム４０は、２個の伸長可能な装置６０、すなわち左側の第一の伸長可能装置６０と右側の第二の伸長可能な装置６０とによってベッド１０の横方向に調整可能である。各伸長可能装置６０は図１および図３に示す、一対の伸長可能な部分、すなわち上側部分６１と下側部分６２とを含む。これらの部分すなわち手段６１，６２は入れ子式に伸長可能であり、長さ方向に、すなわちベッドの横方向に対応するそれらの長手方向に伸長、すなわち引き出し可能、そして後退可能であることによって、支持フレーム４０が、外側フレーム２０の内側の間で実際の幅に対して伸長可能な装置６０の長さを適合させる、すなわち調整することによって幅の異なるベッドにおいても使用可能とされる。
【実施例２】
【００２５】
図３および図４に示すベッド１０の第二の実施例において、支持フレーム４０はベッドの長手方向に移動可能である一方のフレーム部分すなわちベッドプレート４０ａと、一方の固定されたフレーム部分すなわちベッドプレート４０ｂとを含む。動力組立体５０は、固定されたフレーム部分４０ｂに対して相対的に運動するようにされた可動のフレーム部分４０ａに装着され、固定されたフレーム部分４０ｂの頂部におけるスライドとして可動のフレーム部分４０ａが運動するときそのフレーム部分４０ａに追従する。
【００２６】
移動可能なフレーム部分４０ａは一端４２において、図３および図４に示されているように、ベッド１０の頭側端部における枢動可能なリンク装置すなわちアーム９０によって外側フレーム２０に運動可能に接続されている。この枢動可能な頭側端部のリンク装置９０は、外側フレーム２０に対する可動フレーム部分４０ａの相応の移動に応答して頭側端部がそれぞれ昇降されるような仕方で、一端において外側フレーム２０に枢動可能に接続され、他端において関連するロータアーム５５の端部間の位置において動力組立体５０のその関連のロータアーム５５に枢動可能に接続されている。従って、頭側の端部からベッドの隣接する短い方の端部までの距離は概ね一定に留まる。固定されたフレーム部分４０ｂは一端４１において、第一の実施例と比較して、単に１個の伸長装置６０によってベッドの脚側端部の近傍で左方に、固定の外側フレームに調整可能に装着され、他端４２においてベッドの頭側端部の近傍で外側の固定されたフレーム２０の内側に取り外し可能に取り付けられている。固定されたフレーム部分４０ｂは、当該技術分野の専門家には考察されるように、第一の実施例と同様に、双方の端部４１および４２において伸長可能な装置６０によって調整可能に装着してもよいことは勿論である。
【００２７】
摺動可能なフレーム部分４０ａは、ベッド１０を傾けた場合、この実施例においては固定されたフレーム部分４０ｂの上面を転ぶホイールあるいはローラ８１によって固定フレーム部分４０ｂの頂部を運動し、そしてベッド１０の横方向には可動フレーム部分４０ａあるいは固定フレーム部分４０ｂの外側に取り付けられ、可動フレーム部分４０ａの下面と固定フレーム部分４０ｂの上面との間の空間を通って下方あるいは上方に延在しているプレート（図示せず）の形態の案内手段によって案内される。
【００２８】
代替的に、もしも固定フレーム部分４０ｂがＵ字形断面の垂直あるいは水平方向に向けられたビームからつくられ、前記Ｕの脚部が相互に対して内方に向いているとすれば、可動のフレーム部分４０ａは固定フレーム部分４０ｂの内側を運動することができる。例えば四角断面を有し、そのためのホイール８１を有しているビームによって形成されている可動フレーム部分４０ａは次いで内側に転び面を形成しているＵ字形ビーム中に装嵌される。当該技術分野の専門家には直ちに理解されるように、固定フレーム部分４０ｂを形成しているビームと、可動フレーム部分４０ａを形成しているビームとの形状、寸法および公差はベッドの調整の間に人に怪我をさせる危険性が最小とされるように相互に対して適合するようにしうることは勿論である。
【００２９】
図３および図４に示す実施例における可動フレーム部分４０ａにあるホイール／ローラ８１は可動フレーム部分４０ａの下側と概ね面一に装着されており、そのため可動フレーム部分４０ａと固定フレーム部分４０ｂとの間の距離と開放空間とは最小とされ、それによって可動フレーム部分４０ａが運動している間これらのフレーム部分４０ａ，４０ｂの間に指が挟まって詰められたり、あるいは押しつぶされる危険性を低減する。
【００３０】
伸長可能な装置６０が各ベッドの実際の幅に対応する所望の長さとなるよう連続的に変動しうるので、調整可能な支持フレーム４０は標準ベッド幅以外の幅を有するベッドにおいても使用することができる。支持フレーム４０はまた、前記の伸長可能な装置６０に沿った所定の距離に位置されていて係合する溝とリブとを伸長可能装置６０に具備させることによって段階的に調整することも可能である。これらの距離は、例えば８０，９０，１０５、および１２０センチメートルというように異なるベッド幅に対応させることができ、そのため伸長可能装置６０は関連のベッドの幅に対応する所望の長さとなるように伸長させたり、あるいは後退させたりされ、支持フレーム４０を組み立てる前にこれらの位置においてロックされる。伸長可能な装置６０は支持ベッド４０をベッドに組み立てる前に、一般的に市販されているねじあるいはクランプ手段によって軸線方向あるいは長手方向およびそれらの位置にロックすることができる。
【００３１】
双方の実施例における横方向に調整可能な支持フレーム４０は、固定手段によって外側フレーム２０の内側に取り外し可能に取り付けられる。支持フレーム４０の伸長可能な装置６０はねじによって外側フレーム２０に取り付けられることが好ましい。代替的に、固定手段は楔あるいはクランプ手段の形態であり、すなわち伸長可能な装置６０の突出部分６１および６２が、組立て後、外側フレーム２０の内側にあるブラケット（図示せず）の中、あるいはそれらの間に位置された端プレートを有しており、前記ブラケットは前記突出部分６１および６２の各端に対して対応する形状および公差を有し、そのため前記装置６０が楔作用によって外側フレーム２０に取り付けられるか、あるいはブラケットによって垂直方向に単に支持され、適所に保持される。伸長可能な装置６０はまた、スナップ接続を提供するようにされた手段によっても取り付けることができる。
【００３２】
図１から図４までに示す動力組立体５０は実際には電動モータ（図示せず）、多数のリンク、枢点、枢動シャフト、および電動モータによって駆動されるロッカシャフト５４とアーム５５とを密閉するハウジングを形成している。２個のロッカシャフト５４がベッド１０の横方向に延在している。各ロッカアーム５５は、ベッドの頭側端および脚側端を所望位置へ旋回させるためにマットレス支持体３０と係合する回転可能なホイール／ローラ８０を自由端に備えている。電動モータはロッカシャフト５４を回転させ、各ロッカシャフト５４は２個のロッカアーム５５を駆動する。ロッカアーム５５はマットレス支持体３０のそれぞれの可撓性部分３０ｂ、３０ｃ、３０ｄ、すなわちベッド１０の頭側端と脚側端とを昇降させる。
【００３３】
支持フレーム４０と動力組立体５０とは、それらの関連する運動部分、すなわちロッカシャフト５４、ロッカアーム５５、ロッカアーム５５の自由端にあるホイール８０と、支持フレームにあるホイール８１と、頭側端部にある枢動リンク装置７０および９０と共に外側フレーム２０に装着される場合、該フレーム２０の内側からある距離をおいて位置される。その距離は、少なくとも１００ミリメートル、好ましくは１５０ミリメートル、好ましくは１００−５００ミリメートルの間、但し最も好ましくは１５０−４００ミリメートルの間である。ベッド１０を傾けるとき、マットレス支持体３０の下側と各ホイールあるいはローラ８０の転び面との間に大きな力が作用することを考えると、周方向／周辺方向における動力組立体５０のホイール８０と外側フレーム２０の内側との最小距離は手や、あるいは指を詰めたり、あるいは更には押しつぶしたりする危険性を低減するためには人の手の長さより大きいことが好ましい。
【００３４】
図５から図８までにおいて、動力組立体５０が２個の動力組立体５０ａ，５０ｂより構成されている本発明によるベッドの変形が示されている。前記動力組立体は駆動シャフト５４における取付け点と動力組立体の取付け具５６とを有している。このような変形は前述した実施例の双方に対して適用される。
【図面の簡単な説明】
【００３５】
【図１】本発明の第一の実施例による関節式ベッドの上面図である。（第一の実施例）
【図２】図１に示すベッドの側面図である。
【図３】本発明の第二の実施例による本発明のベッドの上面図である。（第二の実施例）
【図４】図３に示すベッドの側面図である。
【図５】ベッドの変形を示し、図１に対応する図面である。
【図６】ベッドの変形を示し、図２に対応する図面である。
【図７】ベッドの変形を示し、図３に対応する図面である。
【図８】ベッドの変形を示し、図４に対応する図面である。
【符号の説明】
【００３６】
１０  ベッド
２０  固定フレーム
３０  関節式マットレス支持体
３０ａ  固定中間部分
３０ｂ  旋回可能頭側部分
３０ｃ  旋回可能大腿側部分
３１  マットレス支持体の外周縁部
４０  調節可能なフレーム
４１  端部
４２  端部
４３  中間部分
４４  長い方のビーム
４５  短い方のビーム
５０  動力組立体
５０ａ  動力組立体
５０ｂ  動力組立体
５４  シャフト
５５  アーム
６０  伸長可能装置
６１  上側部分
６２  下側部分
７０  リンク装置
８０  ローラ／ホイール
８１  ローラ／ホイール
９０  リンク装置
【図１】
2006528527.tif 000003
【図２】
2006528527.tif 000004
【図３】
2006528527.tif 000005
【図４】
2006528527.tif 000006
【図５】
2006528527.tif 000007
【図６】
2006528527.tif 000008
【図７】
2006528527.tif 000009
【図８】
2006528527.tif 000010
【国際調査報告】
2006528527.tif 000011
2006528527.tif 000012
2006528527.tif 000013